(57)【要約】【課題】  複数回の着脱操作に耐えることができるリテーナを有するコネクタを提供する。【解決手段】  ハウジングは、リテーナの進入方向に沿って並設された第１の突部及び第２の突部を有し、  リテーナは、互いに向かい合って形成されかつ略同じ太さを有する第１の脚部及び第２の脚部と、第１の脚部の端部に形成された第１の傾斜部であって、進入方向に対して第１の角度をなしかつ進入の過程で第１突部と係合可能な第１の傾斜部と、第２の脚部の端部に形成された第２の傾斜部であって、進入方向に対して第１の角度とは異なる第２の角度をなしかつ進入の過程で第２突部と係合可能な第２の傾斜部と、を有する。【選択図】  図６
2012230927.tif 000002
【特許請求の範囲】
【請求項１】
端子部材が取り付けられるハウジングと前記ハウジングに着脱可能に挿入されて前記端子部材を係止するリテーナとを有するコネクタであって、
前記ハウジングは、所定の方向に向かって突出する第１の突部と、前記第１の突部とは異なる方向に突出する第２の突部とを有し、
前記リテーナは、互いに向かい合って形成された第１の脚部及び第２の脚部を有し、
前記第１の脚部は、前記リテーナの進入の過程で前記第１の突部と係合可能であり、
前記第２の脚部は、前記リテーナの進入の過程で前記第２の突部と係合可能であることを特徴とするコネクタ。
【請求項２】
前記リテーナの進入の過程で前記第１の脚部が前記第１の突部と係合したときに、前記第１の脚部は前記第２の脚部から離隔する方向に変形し、
前記リテーナの進入の過程で前記第２の脚部が前記第２の突部と係合したときに、前記第２の脚部は前記第１の脚部から離隔する方向に変形することを特徴とする請求項１に記載のコネクタ。
【請求項３】
前記第１の脚部は、前記第１の脚部から突出する第１の爪部を有し、
前記第２の脚部は、前記第２の脚部から突出する第２の爪部を有し、
前記第１の爪部と第２の爪部とが互いに向かい合うことを特徴とする請求項１に記載のコネクタ。
【請求項４】
前記第１の突部及び前記第２の突部は、互いに離れる向きに向かって突出して形成され、
前記第１の爪部が、前記リテーナの進入の過程で前記第１の突部と係合可能であり、
前記第２の爪部が、前記リテーナの進入の過程で前記第２の突部と係合可能であることを特徴とする請求項３に記載のコネクタ。
【請求項５】
前記ハウジングは、前記リテーナが挿入されるリテーナ挿入孔を有し、
前記リテーナ挿入孔に前記第１の突部及び前記第２の突部が形成されていることを特徴とする請求項１ないし４に記載のコネクタ。
【請求項６】
前記リテーナ挿入孔は、前記リテーナの進入方向に沿って形成された係止用突条を有し、
前記第１の突部及び前記第２の突部は、前記係止用突条から互いに離れる向きに突出して形成されたことを特徴とする請求項５に記載のコネクタ。
【請求項７】
前記第１の脚部は、前記第１の脚部の端部に形成された第１の傾斜部であって、前記リテーナの進入方向に対して第１の角度をなしかつ前記リテーナの進入の過程で前記第１の突部と係合可能な第１の傾斜部を有し、
前記第２の脚部は、前記第２の脚部の端部に形成された第２の傾斜部であって、前記リテーナの進入方向に対して前記第１の角度とは異なる第２の角度をなしかつ前記リテーナの進入の過程で前記第２の突部と係合可能な第２の傾斜部を有することを特徴とする請求項１ないし６に記載のコネクタ。
【発明の詳細な説明】
【技術分野】
【０００１】
電線同士を接続するコネクタに関する。特に、リテーナをハウジングに取り付けるコネクタに関する。
【背景技術】
【０００２】
従来、ハウジングに取り付けられた端子部材をリテーナによって係止するコネクタがあった。このリテーナに形成された凸部が端子部材の凹部に挿嵌されることで、端子部材をハウジングに係止させて、端子部材の電気的な接続を確実にするものであった（例えば、特許文献１参照）。
【０００３】
リテーナをハウジングに取り付ける過程では、仮係止と最終係止との２つの係止状態がある。一般に、リテーナをハウジングにある程度押し込んで仮係止の状態にし、仮係止の状態でユーザに納品する場合がある。ユーザは、仮係止の状態で端子部材をハウジングに取り付け、その後、リテーナをさらに押し込んで、最終係止の状態にして端子部材の取り付けを完了する。仮係止の状態でユーザに納品する場合には、振動や衝撃などでリテーナがハウジングから外れないようにする必要がある。
【０００４】
このため、太さが細い第１の脚部と、第１の脚部よりも太さが太い第２の脚部とを有するように構成し、第１の脚部の太さと第２の脚部の太さとの相違によって、仮係止に要する力と最終係止に要する力とを異ならしめたり、ハウジングから外れないようにしたりしていたリテーナがあった（例えば、特許文献２参照）。
【０００５】
仮係止の状態を経て最終係止の状態に至らせる場合には、仮係止の状態をより確実かつ容易に実現するために、仮係止に要する力を最終係止に要する力よりも小さくできることが好ましい。
【先行技術文献】
【特許文献】
【０００６】
【特許文献１】特開２００９−２６６４９７号公報
【特許文献２】特許第３３６５３１５号公報
【発明の概要】
【発明が解決しようとする課題】
【０００７】
ユーザの都合によって、リテーナを最終係止させた後に取り外し、別の端子部材を取り付け直して、リテーナを最終係止させる場合もある。このような要請に応えるべく、リテーナが複数回の着脱に耐えるようにする必要もある。しかしながら、上述した従来のリテーナは、異なる太さの脚部を有するものであったため、着脱に要する力が偏ってしまい、脚部が破損する可能性が高かった。
【０００８】
本発明は、上述の点に鑑みてなされたものであり、その目的とするところは、複数回の着脱操作に耐えることができるリテーナを有するコネクタを提供することにある。
【課題を解決するための手段】
【０００９】
本発明の実施の形態に係る特徴は、
端子部材が取り付けられるハウジングと前記ハウジングに着脱可能に挿入されて前記端子部材を係止するリテーナとを有するコネクタであって、
前記ハウジングは、所定の方向に向かって突出する第１の突部と、前記第１の突部とは異なる方向に突出する第２の突部とを有し、
前記リテーナは、互いに向かい合って形成された第１の脚部及び第２の脚部を有し、
前記第１の脚部は、前記リテーナの進入の過程で前記第１の突部と係合可能であり、
前記第２の脚部は、前記リテーナの進入の過程で前記第２の突部と係合可能であることである。
【００１０】
リテーナは、互いに向かい合って形成された第１の脚部及び第２の脚部を有し、リテーナの進入の過程において、第１の脚部は第１の突部と係合でき、第２の脚部は第２の突部と係合できるので、リテーナの着脱の際に加えられる力を第１の脚部及び第２の脚部に分散させることができ、複数回の着脱操作に耐えることができるリテーナを有するコネクタを提供できる。
【発明の効果】
【００１１】
複数回の着脱操作に耐えることができるリテーナを有するコネクタを提供できる。
【図面の簡単な説明】
【００１２】
【図１Ａ】オスハウジング１００の挿入孔（図示せず）に、メスハウジング２００の端部が挿入された状態を示す斜視図である。
【図１Ｂ】オスハウジング１００とメスハウジング２００とを別個に示す斜視図である。
【図２Ａ】オスハウジング１００とオスリテーナ３００とを示す斜視図である。
【図２Ｂ】メスハウジング２００とメスリテーナ４００とを示す斜視図である。
【図３Ａ】オスハウジング１００を示す平面図である。
【図３Ｂ】メスハウジング２００を示す平面図である。
【図４Ａ】オスリテーナ３００を示す側面図である。
【図４Ｂ】メスリテーナ４００を示す側面図である。
【図５】カム形成突条１１４ａを示す側面図である。
【図６】オスリテーナ３００がオスハウジング１００に進入する過程を示す断面図である。
【図７】メスリテーナ４００がメスハウジング２００に進入する過程を示す断面図（ａ）及び（ｂ）と、カム形成突条２１４ａを島状に形成する金型の例を示す斜視図（ｃ）とである。
【発明を実施するための形態】
【００１３】
以下に、本発明の実施例について図面に基づいて説明する。
【００１４】
＜＜＜コネクタの構成＞＞＞
図１Ａ及び図１Ｂは、本発明の実施例のコネクタであるオスハウジング１００及びメスハウジング２００を示す図である。図１Ａは、オスハウジング１００の挿入孔（図示せず）に、メスハウジング２００の端部が挿入された状態を示す斜視図である。図１Ｂは、オスハウジング１００とメスハウジング２００とを別個に示す斜視図である。
【００１５】
本発明の実施例のコネクタは、オスハウジング１００及びメスハウジング２００によって構成される。図１Ａに示すように、オスハウジング１００がメスハウジング２００の挿入孔（図示せず）に挿入されたときには、オスハウジング１００に取り付けられた端子部材５００（図示せず）と、メスハウジング２００に取り付けられた端子部材５００とが互いに接触して、端子部材５００同士の電気的接続が形成される。端子部材５００の構成については後述する。
【００１６】
＜＜オスハウジング１００及びメスハウジング２００の構成＞＞
オスハウジング１００及びメスハウジング２００の構成について説明する。
【００１７】
＜貫通孔１０２ａ〜１０２ｅ、１０４ａ〜１０４ｅ、２０２ａ〜２０２ｅ、２０４ａ〜２０４ｅ＞
【００１８】
図１Ａ及び図１Ｂに示すように、オスハウジング１００には、上段に５つの貫通孔１０２ａ〜１０２ｅが略平行に並ぶように形成され、下段に５つの貫通孔１０４ａ〜１０４ｅが形成されている。同様に、メスハウジング２００には、上段に５つの貫通孔２０２ａ〜２０２ｅが略平行に並ぶように形成され、下段に５つの貫通孔２０４ａ〜２０４ｅが略平行に並ぶように形成されている。貫通孔１０２ａ〜１０２ｅ、１０４ａ〜１０４ｅ、２０２ａ〜２０２ｅ、２０４ａ〜２０４ｅの各々には、端子部材５００を挿入することができ、オスハウジング１００とメスハウジング２００との双方に、合計で１０個の端子部材５００を取り付けることができる。
【００１９】
オスハウジング１００の貫通孔１０２ａがメスハウジング２００の貫通孔２０２ａに対応するように、オスハウジング１００の貫通孔１０２ｂがメスハウジング２００の貫通孔２０２ｂに対応するように、オスハウジング１００の貫通孔１０２ｃがメスハウジング２００の貫通孔２０２ｃに対応するように、オスハウジング１００の貫通孔１０２ｄがメスハウジング２００の貫通孔２０２ｄに対応するように、オスハウジング１００の貫通孔１０２ｅがメスハウジング２００の貫通孔２０２ｅに対応するように形成されている。
【００２０】
オスハウジング１００の貫通孔１０４ａがメスハウジング２００の貫通孔２０４ａに対応するように、オスハウジング１００の貫通孔１０４ｂがメスハウジング２００の貫通孔２０４ｂに対応するように、オスハウジング１００の貫通孔１０４ｃがメスハウジング２００の貫通孔２０４ｃに対応するように、オスハウジング１００の貫通孔１０４ｄがメスハウジング２００の貫通孔２０４ｄに対応するように、オスハウジング１００の貫通孔１０４ｅがメスハウジング２００の貫通孔２０４ｅに対応するように形成されている。
【００２１】
＜リテーナ挿入孔１０６、２０６＞
図２Ａは、オスハウジング１００とオスリテーナ３００と示す斜視図である。図２Ｂは、メスハウジング２００とメスリテーナ４００と示す斜視図である。
【００２２】
オスハウジング１００には、オスリテーナ３００を挿入するためのリテーナ挿入孔１０６が形成されている。メスハウジング２００には、メスリテーナ４００を挿入するためのリテーナ挿入孔２０６が形成されている。リテーナ挿入孔１０６は、おおよその外形が四角形の挿入開口１０８を有する。また、リテーナ挿入孔２０６は、おおよその外形が四角形の挿入開口２０８を有する。
【００２３】
リテーナ挿入孔１０６は、オスハウジング１００の貫通孔１０２ａ〜１０２ｅ及び１０４ａ〜１０４ｅの長手方向に対して垂直方向に形成されている。図２Ａに示すように、リテーナ挿入孔１０６は、貫通孔１０２ａ〜１０２ｅ及び１０４ａ〜１０４ｅの長手方向に対して垂直方向に分断するように形成されている。リテーナ挿入孔２０６は、メスハウジング２００の貫通孔２０２ａ〜２０２ｅ及び２０４ａ〜２０４ｅの長手方向に対して垂直方向に形成されている。図２Ｂに示すように、リテーナ挿入孔２０６は、貫通孔２０２ａ〜２０２ｅ及び２０４ａ〜２０４ｅの長手方向に対して垂直方向に分断するように形成されている。
【００２４】
＜カム１３０ａ、１４０ａ、１５０ａ及びカム１３０ｂ、１４０ｂ、１５０ｂの構成＞
図２Ａ及び図３Ａに示すように、リテーナ挿入孔１０６は、互いに向かい会う２つの側壁１１０ａ及び１１０ｂと、底面１１２とを有する。側壁１１０ａには、側壁１１０ａに沿ってカム形成突条１１４ａが形成されている。カム形成突条１１４ａは、底面１１２から挿入開口１０８に向かって形成されている。カム形成突条１１４ａによって、オスリテーナ３００の進入方向に沿った経路になすことができる。図５及び図６（ａ）〜（ｆ）に示すように、カム形成突条１１４ａは、底面１１２に対して略垂直にかつ底面１１２と連結するように形成されている。カム形成突条１１４ａは、底面１１２から挿入開口１０８に向かって長尺な形状を有する。カム形成突条１１４ａは、挿入開口１０８に向かう先端部１１６ａを有する。先端部１１６ａは、底面１１２と挿入開口１０８との間に位置する。たとえば、先端部１１６ａは、底面１１２と挿入開口１０８との略中央に位置する。
【００２５】
図５及び図６（ａ）〜（ｆ）に示すように、カム形成突条１１４ａは、長尺な形状を有し、長手方向に沿った第１の面１１８ａ及び第２の面１２０ａを有する。第１の面１１８ａ及び第２の面１２０ａは、底面１１２から先端部１１６ａに向かってかつ互いに略平行に形成されている。
【００２６】
第１の面１１８ａには、１つのカム１３０ａが、第１の面１１８ａから突出するように、すなわち、第１の面１１８ａから離隔する方向に突出するように形成されている。第２の面１２０ａには、２つのカム１４０ａ及び１５０ａが、第２の面１２０ａから突出するように、すなわち、第２の面１２０ａから離隔する方向に突出するように形成されている。このように、カム１３０ａ、カム１４０ａ及び１５０ａは、カム形成突条１１４ａとともに、側壁１１０ａに形成されている。カム１３０ａ、カム１４０ａ及び１５０ａは、斜面部と垂直部と水平部とを有する。
【００２７】
カム１３０ａは、斜面部１３２ａと垂直部１３４ａと水平部１３６ａとを有する。斜面部１３２ａは、底面１１２に対して略３０度の角度をなすように形成されている。垂直部１３４ａは、底面１１２に対して略垂直、すなわち、第１の面１１８ａと略平行になるように形成されている。水平部１３６ａは、底面１１２に対して略平行、すなわち、第１の面１１８ａと略垂直になるように形成されている。
【００２８】
カム１３０ａの高さが、後述するオスリテーナ３００の爪部３３０ａの水平部３３６ａの長さよりも若干小さくなるように、カム１３０ａは形成されている。このようにすることで、オスリテーナ３００を２次係止の状態又は最終係止の状態にしたときに（図６（ｆ）参照）、カム１３０ａの水平部１３６ａとオスリテーナ３００の爪部３３０ａの水平部３３６ａとを係合させることができ、オスリテーナ３００がオスハウジング１００から離脱することを防止して、オスリテーナ３００の最終係止の状態を確実に維持することができる。ここで、カム１３０ａの高さは、第１の面１１８ａから垂直部１３４ａまでの長さである。
【００２９】
カム１４０ａは、斜面部１４２ａと垂直部１４４ａと水平部１４６ａとを有する。斜面部１４２ａは、底面１１２に対して略４５度の角度をなすように形成されている。垂直部１４４ａは、底面１１２に対して略垂直、すなわち、第２の面１２０ａと略平行になるように形成されている。水平部１４６ａは、底面１１２に対して略平行、すなわち、第２の面１２０ａと略垂直になるように形成されている。
【００３０】
カム１４０ａの高さが、後述するオスリテーナ３００の爪部３４０ａの水平部３４６ａの長さよりも若干小さくなるように、カム１４０ａは形成されている。このようにすることで、オスリテーナ３００を１次係止の状態又は仮係止の状態にしたときに（図６（ｄ）参照）、カム１４０ａの水平部１４６ａとオスリテーナ３００の爪部３４０ａの水平部３４６ａとを係合させることができ、オスリテーナ３００がオスハウジング１００から離脱することを防止して、オスリテーナ３００の仮係止の状態を確実に維持することができる。ここで、カム１４０ａの高さは、第２の面１２０ａから垂直部１４４ａまでの長さである。
【００３１】
カム１５０ａは、斜面部１５２ａと垂直部１５４ａと水平部１５６ａとを有する。斜面部１５２ａは、底面１１２に対して略４５度の角度をなすように形成されている。垂直部１５４ａは、底面１１２に対して略垂直、すなわち、第２の面１２０ａと略平行になるように形成されている。水平部１５６ａは、底面１１２に対して略平行、すなわち、第２の面１２０ａと略垂直になるように形成されている。
【００３２】
カム１５０ａの高さがカム１４０ａの高さよりも低くなるように、カム１５０ａは形成されている。２次係止の状態又は最終係止の状態にしたとき（図６（ｆ）参照）に、カム１５０ａの水平部１５６ａとオスリテーナ３００の爪部３４０ａの水平部３４６ａとを接触させるとともに、カム１３０ａの水平部１３６ａとオスリテーナ３００の爪部３４０ａの水平部３４６ａとを係合させることができ、オスリテーナ３００の最終係止の状態をより確実に維持することができる。ここで、カム１５０ａの高さは、第２の面１２０ａから垂直部１５４ａまでの長さである。
【００３３】
上述したように、カム１３０ａは第１の面１１８ａに形成されている。２つのカム１４０ａ及び１５０ａは、第２の面１２０ａに形成されている。図６（ｂ）及び（ｃ）に示すように、爪部３４０ａがカム１４０ａと係合するときには、爪部３３０ａはカム１３０ａとは係合しない。すなわち、オスリテーナ３００を仮係止の状態にするときには、爪部３３０ａ及び３４０ａのうちのいずれか一方と係合するようにカムを形成するのが好ましい。また、図６（ｄ）及び（ｅ）に示すように、爪部３４０ａがカム１５０ａと係合するときには、同時に、爪部３３０ａはカム１３０ａとは係合する。すなわち、オスリテーナ３００を最終係止の状態にするときには、爪部３３０ａ及び３４０ａの双方と係合するようにカムを形成するのが好ましい。
【００３４】
２つのカム１４０ａ及び１５０ａは、第２の面１２０ａに形成されている。これらの２つのカム１４０ａ及び１５０ａは、オスリテーナ３００の進入方向に沿って異なる位置に形成されている。本実施の形態では、カム１４０ａは、カム１５０ａよりも底面１１２から離れた位置に第２の面１２０ａに形成されている。カム１５０ａは、カム１４０ａよりも底面１１２から近い位置に第２の面１２０ａに形成されている。
【００３５】
カム形成突条１１４ａと同様に、側壁１１０ｂには、底面１１２から挿入開口１０８に向かって、側壁１１０ｂに沿って、カム形成突条１１４ｂが形成されている。カム形成突条１１４ｂは、長尺な形状を有し、長手方向に沿った第１の面１１８ｂ及び第２の面１２０ｂを有する。カム形成突条１１４ｂによって、オスリテーナ３００の進入方向に沿った経路になすことができる。カム形成突条１１４ｂの構造及び形状並びにカム形成突条１１４ｂに設けられているカム１３０ｂ、カム１４０ｂ及びカム１５０ｂもカム１３０ａ、カム１４０ａ及びカム１５０ａの構造及び形状と同様である。したがって、カム１３０ｂ、カム１４０ｂ及びカム１５０ｂも、カム形成突条１１４ｂと同様に、側壁１１０ｂに形成されている。
【００３６】
＜端子部材５００＞
端子部材５００（図示せず）は、長尺な形状を有する。端子部材５００は、長手方向に沿って第１の端部と第２の端部とを有する。端子部材５００の第１の端部には、各種の電線が電気的に接続されている。端子部材５００がオスハウジング１００に取り付けられたときには、各種の電線は、オスハウジング１００から延出するように配置される。端子部材５００がメスハウジング２００に取り付けられたときには、各種の電線は、メスハウジング２００から延出するように配置される。オスハウジング１００が、メスハウジング２００に挿入されて、所望する位置に位置づけられたときには、オスハウジング１００に取り付けられた端子部材５００の第２の端部と、メスハウジング２００に取り付けられた端子部材５００の第２の端部とが電気的に接続される。
【００３７】
端子部材５００の第１の端部と第２の端部との間には、凹部（図示せず）が形成されている。端子部材５００が、オスハウジング１００やメスハウジング２００に取り付けられたときに、後述するリテーナに形成された係止用突部（図示せず）が端子部材５００の凹部に挿入され、端子部材５００が変位したりオスハウジング１００やメスハウジング２００から脱落したりすることを防止できる。
【００３８】
＜＜オスリテーナ３００の構成＞＞
オスリテーナ３００は、オスハウジング１００内に挿入された端子部材５００を係止して、端子部材５００が変位したりオスハウジング１００から抜けたりしないようにするための部材である。オスリテーナ３００は、合成樹脂によって形成されている。合成樹脂は、弾性、耐久性、耐熱性などの各種の特性を満たす材料を用いればよい。
【００３９】
＜基部３０２＞
図２Ａ及び図４Ａに示すように、オスリテーナ３００は基部３０２を有する。基部３０２は、５個の貫通孔３０４ａ〜３０４ｅが形成された本体部３０６を有する。本体部３０６の下面には、５個の係止用突部３０８ａ〜３０８ｅ（図示せず）が形成されている。５個の貫通孔の上面にも５個の係止用突部３１０ａ〜３１０ｅ（図示せず）が貫通孔の各々の内側に向かって形成されている。
【００４０】
オスリテーナ３００が、進入方向Ｘ（図４Ａ及び図６（ａ）〜（ｆ）参照）にオスハウジング１００内に挿入されたときには、これらの係止用突部３０８ａ〜３０８ｅ及び３１０ａ〜３１０ｅが端子部材５００の凹部（図示せず）挿入されることで端子部材５００を係止し、端子部材５００が変位したりオスハウジング１００から抜けたりしないようにする。
【００４１】
＜脚部３２２ａ及び３２４ａ＞
図２Ａ及び図４Ａに示すように、基部３０２の２つの側面の各々には、互いに向かい合う２つの側面体３２０ａ及び３２０ｂを有する。側面体３２０ａは、長尺な２つの脚部３２２ａ及び３２４ａを有する。２つの脚部３２２ａ及び３２４ａは、互いに略平行にかつ基部３０２から離隔する方向に形成されている。脚部３２２ａの幅Ｌ１と、脚部３２４ａの幅Ｌ２とは略同じになるように形成されている。このようにすることで、脚部３２２ａの太さ及び脚部３２４ａの太さも略同じになるように形成でき、脚部３２２ａと脚部３２４ａとの強度を略同じにでき、オスリテーナ３００の着脱時に２つの脚部３２２ａ及び３２４ａのどちらか一方が破損することを防止できる。
【００４２】
脚部３２２ａと脚部３２４ａとは略同じ太さを有するので、着脱の際に加えられる力を分散させることができ、複数回の着脱操作に耐えるようにできる。脚部３２２ａの強度と脚部３２４ａの強度とが、略同じになるようにすればよく、脚部３２２ａと第２の脚部との断面形状などが互いに異なっていても、実質的に太さが同じであればよい。
【００４３】
側面体３２０ｂも、側面体３２０ａと同様に、長尺な２つの脚部３２２ｂ及び３２４ｂを有する。２つの脚部３２２ｂ及び３２４ｂは、互いに略平行にかつ基部３０２から離隔する方向に形成されている。なお、以下では、説明の簡略のため、主として、側面体３２０ａや２つの脚部３２２ａ及び３２４ａについて説明するが、側面体３２０ｂや２つの脚部３２２ｂ及び３２４ｂも同様の構成を有し同様に機能する。
【００４４】
＜爪部３３０ａ＞
脚部３２２ａの長手方向に沿って基部３０２から最も離隔した脚部３２２ａの先端には、爪部３３０ａが形成されている。爪部３３０ａは、斜面部３３２ａと垂直部３３４ａと水平部３３６ａとを有する。斜面部３３２ａは、基部３０２の表面に対して略３０度の角度をなすように形成されている。垂直部３３４ａは、基部３０２の表面に対して略垂直、すなわち、脚部３２２ａの長手方向と略平行になるように形成されている。水平部３３６ａは、基部３０２の表面に対して略平行、すなわち、脚部３２２ａの長手方向と略垂直になるように形成されている。
【００４５】
上述したように、カム１３０ａの高さが、後述するオスリテーナ３００の爪部３３０ａの水平部３３６ａの長さよりも若干小さくなるように、カム１３０ａは形成されている。このようにすることで、オスリテーナ３００を２次係止の状態又は最終係止の状態にしたときに、カム１３０ａの水平部１３６ａとオスリテーナ３００の爪部３３０ａの水平部３３６ａとを接触させることができ、オスリテーナ３００がオスハウジング１００から離脱することを防止して、オスリテーナ３００の２次係止状態を確実に維持することができる。ここで、カム１３０ａの高さは、第１の面１１８ａから垂直部１３４ａまでの長さである。また、水平部３３６ａの長さは、垂直部３３４ａから脚部３２２ａに至るまでの距離である。
【００４６】
＜爪部３４０ａ＞
脚部３２４ａの長手方向に沿って基部３０２から最も離隔した脚部３２４ａの先端には、爪部３４０ａが形成されている。爪部３４０ａは、斜面部３４２ａと垂直部３４４ａと水平部３４６ａとを有する。斜面部３４２ａは、基部３０２の表面に対して略４５度の角度をなすように形成されている。垂直部３４４ａは、基部３０２の表面に対して略垂直、すなわち、脚部３２４ａの長手方向と略平行になるように形成されている。水平部３４６ａは、基部３０２の表面に対して略平行、すなわち、脚部３２４ａの長手方向と略垂直になるように形成されている。
【００４７】
上述したように、カム１４０ａの高さが、後述するオスリテーナ３００の爪部３４０ａの水平部３４６ａの長さよりも若干小さくなるように、カム１４０ａは形成されている。このようにすることで、オスリテーナ３００を１次係止状態又は仮係止の状態にでき、カム１４０ａの水平部１４６ａとオスリテーナ３００の爪部３４０ａの水平部３４６ａとを接触させることができ、オスリテーナ３００がオスハウジング１００から離脱することを防止して、オスリテーナ３００の１次係止状態を確実に維持することができる。ここで、カム１４０ａの高さは、第１の面１１８ａから垂直部１４４ａまでの長さである。また、水平部３４６ａの長さは、垂直部３４４ａから脚部３４２ａに至るまでの距離である。
【００４８】
カム１５０ａの高さがカム１４０ａの高さよりも低くなるように、カム１５０ａは形成されている。オスリテーナ３００を２次係止状態又は最終係止の状態にしたときは、カム１５０ａの水平部１５６ａとオスリテーナ３００の爪部３４０ａの水平部３４６ａとを接触させるとともに、カム１３０ａの水平部１３６ａとオスリテーナ３００の爪部３４０ａの水平部３４６ａとを接触させることができ、オスリテーナ３００の２次係止状態をより確実に維持することができる。
【００４９】
脚部３２２ａから突出する爪部３３０ａと、脚部３２４ａから突出する爪部３４０ａとが互いに向かい合うように、爪部３３０ａと爪部３４０ａとが形成されている。また、脚部３２２ａの長手方向に沿った長さＮ１と、脚部３２４ａの長手方向に沿った長さＮ２とが略同じになるように、脚部３２２ａと脚部３２４ａとが形成されている。上述したように、脚部３２２ａの太さ及び脚部３２４ａの太さも略同じになるように、脚部３２２ａと脚部３２４ａとは形成されている。このように、脚部３２２ａと脚部３２４ａとは、太さと長さとが略同じになるように形成されているので、脚部３２２ａと脚部３２４ａとの強度と撓みやすさとを略同じにすることができる。
【００５０】
脚部３２２ａから突出する爪部３３０ａと、脚部３２４ａから突出する爪部３４０ａとが互いに向かい合うように、爪部３３０ａと爪部３４０とが形成されている。このように爪部３３０ａと爪部３４０ａとが、脚部３２２ａと脚部３２４ａとの間に向かって、すなわち内側に向かって突出するように形成されている。
【００５１】
このように爪部３３０ａと爪部３４０ａとを形成したことにより、爪部３３０ａを係止するカム１３０ａと、爪部３４０ａを係止するカム１４０ａ及び１５０ａとを、カム形成突条１１４ａに外側に向かって突出するように形成できる（図５参照）。すなわち、カム１３０ａと、カム１４０ａ及び１５０ａとが、互いに離隔する方向に突出するように形成できる（図５参照）。具体的には、図５に示すように、カム１３０ａは、図５の左方向に突出するように、カム１４０ａ及び１５０ａは、図５の右方向に突出するように形成できる。
【００５２】
このように、カム１３０ａとカム１４０ａ及び１５０ａとを、カム形成突条１１４ａの外側に向かって突出するように形成できるので、オスハウジング１００を金型で成型する場合には、金型のアンダーカットを考慮する必要がなく、カム形成突条１１４ａに形成するカムの数によることなく金型を設計できる。したがって、カム形成突条１１４ａに形成するカムの数を所望する数にできるとともに、金型の設計の自由度を高めることができる。
【００５３】
＜延出部３５０ａ及び３６０ａ＞
側面体３２０ａには、脚部３２２ａと接続するように延出部３５０ａが形成され、脚部３２４ａと接続するように延出部３６０ａが形成されている。延出部３５０ａは、湾曲部３５２ａを介して脚部３２２ａと接続する。延出部３６０ａは、湾曲部３６２ａを介して脚部３２４ａと接続する。
【００５４】
延出部３５０ａの幅Ｍ１は、延出部３６０ａの幅Ｍ２よりも短くなるように形成されている。このようにすることで、オスリテーナ３００をオスハウジング１００に挿入するときに、オスリテーナ３００の向きを間違えて挿入することを防止でき、挿入操作を迅速かつ的確にすることができる。ここで、延出部３５０ａの幅Ｍ１は、後述する段差部３５４ａから延出部３５０ａの外端部までの距離である。また、延出部３６０ａの幅Ｍ２は、後述する段差部３６４ａから延出部３６０ａの外端部までの距離である。延出部３５０ａの外端部は、脚部３２２ａの長手方向と略平行であり、延出部３６０ａの外端部は、脚部３２４ａの長手方向と略平行である。
【００５５】
＜段差部３５４ａと段差部３６４ａ＞
延出部３５０ａと湾曲部３５２ａと脚部３２２ａとに亘って略直線状に延在するように段差部３５４ａが形成されている。段差部３５４ａは、脚部３２２ａの長手方向に対して略平行になるように形成されている。延出部３６０ａと湾曲部３６２ａと脚部３２４ａとに亘って略直線状に延在するように段差部３６４ａが形成されている。段差部３６４ａは、脚部３２４ａの長手方向に対して略平行になるように形成されている。
【００５６】
図２Ａに示すように、段差部３５４ａと段差部３６４ａとは、厚みを異ならしめることで形成されている。段差部３５４ａを形成したことにより、延出部３５０ａと湾曲部３５２ａと脚部３２２ａとは、肉厚部と肉薄部とからなる。同様に、段差部３６４ａを形成したことにより、延出部３６０ａと湾曲部３６２ａと脚部３２４ａとは、肉厚部と肉薄部とからなる。
【００５７】
図２Ａに示すように、リテーナ挿入孔１０６の側壁１１０ａには、角部１２２ａ及び１２４ａが形成されている。角部１２２ａ及び１２４ａは、挿入開口１０８から底面１１２に亘って長尺に形成されている。同様に、リテーナ挿入孔１０６の側壁１１０ｂには、角部１２２ｂ及び１２４ｂが形成されている。角部１２２ｂ及び１２４ｂは、挿入開口１０８から底面１１２に亘って長尺に形成されている。
【００５８】
段差部３５４ａは、角部１２２ａと接触することができ、段差部３５４ａは、角部１２２ａによって案内される。同様に、段差部３６４ａは、角部１２４ａと接触することができ、段差部３６４ａは、角部１２４ａによって案内される。また、段差部３５４ｂ（図示せず）は、角部１２２ｂと接触することができ、段差部３５４ｂは、角部１２２ｂによって案内される。同様に、段差部３６４ｂ（図示せず）は、角部１２４ｂと接触することができ、段差部３６４ｂは、角部１２４ｂによって案内される。このようにすることで、オスリテーナ３００は、段差部３５４ａ、段差部３６４ａ、段差部３５４ｂ及び段差部３６４ｂによって案内されつつ、リテーナ挿入孔１０６に挿入される。このようにすることで、オスリテーナ３００の姿勢を適切なものにしつつ、オスリテーナ３００をリテーナ挿入孔１０６に挿入することができる。
【００５９】
＜＜オスリテーナ３００のオスハウジング１００への取り付け＞＞
オスリテーナ３００は、オスハウジング１００に形成されたリテーナ挿入孔１０６の挿入開口１０８から挿入されて、リテーナ挿入孔１０６に取り付けられる。図６（ａ）〜（ｆ）は、オスリテーナ３００がリテーナ挿入孔１０６に進入する過程を示す断面図である。オスリテーナ３００がリテーナ挿入孔１０６に適切な姿勢で挿入されたときに、オスリテーナ３００がリテーナ挿入孔１０６に進入する方向（以下、進入方向と称する。）は、脚部３２２ａ及び３２４ａの長手方向や、リテーナ挿入孔１０６の深さ方向（挿入開口１０８から底面１１２に向かう方向）や、カム形成突条１１４ａの第１の面１１８ａ及び第２の面１２０ａと略一致する。
【００６０】
図６（ａ）は、操作者によってオスリテーナ３００が挿入開口１０８に挿入された直後の状態を示す断面図である。この状態では、オスリテーナ３００の段差部３５４ａは、オスハウジング１００の角部１２２ａに摺動可能に案内されるとともに、オスリテーナ３００の段差部３６４ａは、オスハウジング１００の角部１２４ａと摺動可能に案内される。これにより、オスリテーナ３００の姿勢が直立した状態を維持しつつ、底面１１２に向かってリテーナ挿入孔１０６に進入する。
【００６１】
図５に示すように、カム形成突条１１４ａの先端部１１６ａには、先端部１１６ａを挟んで２つの突条傾斜部１２６ａ及び１２８ａが形成されている。オスリテーナ３００が挿入開口１０８に挿入されて、オスリテーナ３００が傾いた場合には、オスリテーナ３００の斜面部３３２ａは突条傾斜部１２６ａに係合したり、オスリテーナ３００の斜面部３４２ａは突条傾斜部１２８ａに係合したりすることができる。斜面部３３２ａと突条傾斜部１２６ａとの係合や、斜面部３４２ａと突条傾斜部１２８ａとの係合によって、オスリテーナ３００を適切な姿勢にすることができる。このようにして、図６（ａ）に示す状態から図６（ｂ）に示す状態に移行する間に、脚部３２２ａと脚部３４２ａとの間にカム形成突条１１４ａが嵌入して、オスリテーナ３００を進入させることができる。
【００６２】
その後、爪部３３０ａの垂直部３３４ａはカム形成突条１１４ａの第１の面１１８ａに案内され、爪部３４０ａの垂直部３４４ａはカム形成突条１１４ａの第２の面１２０ａに案内されるので、オスリテーナ３００の姿勢をより安定させて直立した状態にすることができる。すなわち、爪部３３０ａと爪部３４０ａとが、カム形成突条１１４ａを挟むように案内される。さらに、オスリテーナ３００の段差部３５４ａは、オスハウジング１００の角部１２２ａと摺動可能に案内され、オスリテーナ３００の段差部３６４ａは、オスハウジング１００の角部１２４ａと摺動可能に案内される。このようにして、オスリテーナ３００を適切な姿勢にして、オスリテーナ３００を進入させることができる。
【００６３】
上述したオスリテーナ３００の段差部３５４ａ及びオスハウジング１００の角部１２２ａと、オスリテーナ３００の段差部３６４ａ及びオスハウジング１００の角部１２４ａとによって蟻溝構造を構成できる。蟻溝構造を構成することで、オスリテーナ３００の段差部３５４ａ及び段差部３６４ａの形状に沿って、仮係止の状態を経て最終係止の状態までオスハウジング１００を案内することができる。
【００６４】
図６（ｂ）は、オスリテーナ３００の爪部３４０ａがカム１４０ａと当接した状態を示す断面図である。
【００６５】
オスリテーナ３００が底面１１２に向かって進入することで、オスリテーナ３００の爪部３４０ａがカム１４０ａと当接する状態になる。具体的には、爪部３４０ａの斜面部３４２ａと、カム１４０ａの斜面部１４２ａとが接触した状態となる。また、この図６（ｂ）の状態では、爪部３３０ａの垂直部３３４ａは、カム形成突条１１４ａの第１の面１１８ａと当接している。
【００６６】
この図６（ｂ）に示す状態では、角部１２４ａの下端部と、脚部３２４ａの根元部とが略一致するように位置する（図６（ｂ）の線Ａ参照）。このように図６（ａ）から図６（ｂ）に至るまでの間では、角部１２４ａの下端部によって、脚部３２４ａが変形することを防止でき、爪部３３０ａと爪部３４０ａとが、カム形成突条１１４ａを挟むように案内できる。図６（ｂ）に示すように、脚部３２４ａの根元部と略一致するように、角部１２４ａの下端部の位置を予め定めている。
【００６７】
図６（ｃ）は、操作者によってオスリテーナ３００がリテーナ挿入孔１０６に押し込まれ、カム１４０ａにより脚部３２４ａが変形した状態を示す断面図である。オスリテーナ３００は、合成樹脂によって形成されており、脚部３２４ａは弾性変形することができる。
【００６８】
爪部３４０ａとカム１４０ａとが係合する箇所は、カム１４０ａの斜面部１４２ａから垂直部１４４ａまで徐々に下方向に移動する。具体的には、オスリテーナ３００の爪部３４０ａの垂直部３４４ａと水平部３４６ａとの間の角部３４５ａ（図４Ａ参照）と、カム形成突条１１４ａのカム１４０ａの垂直部１４４ａと水平部１４６ａとの間の角部１４５ａ（図５参照）との係合が解除されるまで、爪部３４０ａとカム１４０ａとは係合する。
【００６９】
係合する箇所が、徐々に移動するに従って、脚部３２４ａは徐々に広がって変形していく。オスハウジング１００は、合成樹脂製であり弾性変形できる。角部３４５ａと角部１４５ａとの係合が解除されたときには、オスリテーナ３００の弾性力によって元の形状に戻り、図６（ｄ）に示す仮係止の状態に至る。
【００７０】
図６（ｃ）の状態でも、オスリテーナ３００の段差部３５４ａは、オスハウジング１００の角部１２２ａに摺動可能に案内されるとともに、オスリテーナ３００の段差部３６４ａは、オスハウジング１００の角部１２４ａと摺動可能に案内される。また、爪部３３０ａの垂直部３３４ａは、カム形成突条１１４ａの第１の面１１８ａと摺動可能に当接している。このため、脚部３２４ａのみが変形することができる。
【００７１】
図６（ｄ）は、第１係止の状態、すなわち、仮係止の状態を示す断面図である。この仮係止の状態は、オスリテーナ３００が、オスハウジング１００の第１の進入位置まで進入した状態である。
【００７２】
オスリテーナ３００の爪部３４０ａがカム１４０ａと係合していた状態が解除されて、オスリテーナ３００の爪部３３０ａがカム１３０ａと当接するとともに、オスリテーナ３００の爪部３４０ａがカム１５０ａと当接する状態となる。このように、爪部３３０ａがカム１３０ａと当接するとともに爪部３４０ａがカム１５０ａと当接しているので、オスリテーナ３００が底面１１２に向かって移動しにくくできる。
【００７３】
また、オスリテーナ３００が挿入開口１０８に向かって引き出そうとされたときには、爪部３４０ａはカム１４０ａによって係止されるので、挿入開口１０８に向かう移動を防止することができる。すなわち、爪部３４０ａの水平部３４６ａとカム１４０ａの水平部１４６ａは、ともに、進入方向に対して略垂直に形成されている。このため、爪部３４０ａの水平部３４６ａは、カム１４０ａの水平部１４６ａによって係止され、爪部３４０ａの水平部３４６ａとカム１４０ａの水平部１４６ａとの当接状態を維持することができ、オスリテーナ３００が挿入開口１０８に向かって引き出そうとされても、挿入開口１０８に向かう移動を的確に防止でき、仮係止の状態を維持することができる。
【００７４】
オスリテーナ３００は、図６（ｄ）に示す仮係止の状態でユーザに納品される場合がある。上述したように、爪部３３０ａとカム１３０ａとが当接し、爪部３４０ａとカム１４０ａとが当接し、爪部３４０ａとカム１５０ａとが係止可能な状態にしたことで、オスリテーナ３００に振動や衝撃が加えられた場合でも仮係止の状態を維持でき、納品の信頼性を高める可能性が生ずる。
【００７５】
図６（ｄ）に示す仮係止の状態では、オスハウジング１００の貫通孔１０２ａは、オスリテーナ３００の貫通孔３０４ａと連通し、オスハウジング１００の貫通孔１０２ｂは、オスリテーナ３００の貫通孔３０４ｂと連通し、オスハウジング１００の貫通孔１０２ｃは、オスリテーナ３００の貫通孔３０４ｃと連通し、オスハウジング１００の貫通孔１０２ｄは、オスリテーナ３００の貫通孔３０４ｄと連通し、オスハウジング１００の貫通孔１０２ｅは、オスリテーナ３００の貫通孔３０４ｅと連通する。したがって、仮係止の状態にすることで、オスリテーナ３００の貫通孔３０４ａ〜３０４ｅを介して、オスハウジング１００の上段の５つの貫通孔１０２ａ〜１０２ｅの各々に端子部材５００を円滑に取り付けることができる。
【００７６】
また、この仮係止の状態では、オスリテーナ３００は最終係止の状態（図６（ｆ）参照）に至っておらず、オスリテーナ３００が下段の５つの貫通孔１０４ａ〜１０４ｅに到達していないので、５つの貫通孔１０４ａ〜１０４ｅの各々に端子部材５００を円滑に取り付けることができる。
【００７７】
この図６（ｄ）に示す状態では、角部１２２ａの下端部と、脚部３２２ａの根元部とが略一致するように位置する（図６（ｄ）の線Ｂ参照）。仮係止の状態に至るまでの間では、角部１２２ａの下端部によって、脚部３２２ａが変形することを防止でき、的確に仮係止の状態に至らしめることができる。図６（ｄ）に示すように、脚部３２２ａの根元部と略一致するように、角部１２２ａの下端部の位置を予め定めている。
【００７８】
このようにすることで、ユーザは、仮係止状態で納品されたオスリテーナ３００に端子部材５００を容易に取り付けることができる。
【００７９】
図６（ｅ）は、操作者によって、オスリテーナ３００がリテーナ挿入孔１０６にさらに押し込まれることにより、脚部３２２ａ及び３２４ａの双方が変形した状態を示す断面図である。上述したように、オスリテーナ３００は、合成樹脂によって形成されており、脚部３２２ａは、カム１３０ａとの当接によって弾性変形することができ、脚部３２４ａは、カム１５０ａとの当接によって弾性変形することができる。
【００８０】
爪部３３０ａとカム１３０ａとが係合する箇所は、カム１３０ａの斜面部１３２ａから垂直部１３４ａまで徐々に下方向に移動する。具体的には、オスリテーナ３００の爪部３３０ａの垂直部３３４ａと水平部３３６ａとの間の角部３３５ａ（図４Ａ参照）と、カム形成突条１１４ａのカム１３０ａの垂直部１３４ａと水平部１３６ａとの間の角部１３５ａ（図５参照）との係合が解除されるまで、爪部３３０ａとカム１３０ａとは係合する。
【００８１】
また、爪部３４０ａとカム１５０ａとが係合する箇所は、カム１５０ａの斜面部１５２ａから垂直部１５４ａまで徐々に下方向に移動する。具体的には、オスリテーナ３００の角部３４５ａ（図４Ａ参照）と、カム形成突条１１４ａのカム１５０ａの垂直部１５４ａと水平部１５６ａとの間の角部１５５ａ（図５参照）との係合が解除されるまで、爪部３４０ａとカム１５０ａとは係合する。
【００８２】
係合する箇所が、徐々に移動するに従って、脚部３２２ａは徐々に広がって弾性変形していく。角部３３５ａと角部１３５ａとの係合が解除されたときには、オスリテーナ３００の弾性力によって、脚部３２２ａは元の形状に戻り、図６（ｆ）に示す最終係止の状態に至る。
【００８３】
同様に、係合する箇所が、徐々に移動するに従って、脚部３２４ａは徐々に広がって変形していく。オスハウジング１００は、合成樹脂製であり弾性変形できる。角部３４５ａと角部１５５ａとの係合が解除されたときには、オスリテーナ３００の弾性力によって、脚部３２４ａは元の形状に戻り、図６（ｆ）に示す最終係止の状態に至る。
【００８４】
図６（ｅ）の状態でも、オスリテーナ３００の段差部３５４ａは、オスハウジング１００の角部１２２ａに摺動可能に案内されるとともに、オスリテーナ３００の段差部３６４ａは、オスハウジング１００の角部１２４ａと摺動可能に案内される。このため、脚部３２２ａ及び３２４ａのみが変形することができる。
【００８５】
脚部３２２ａはカム１３０ａと当接するとともに、脚部３２４ａはカム１５０ａと当接するので、オスリテーナ３００から加えられる力を、脚部３２２ａを介してカム１３０ａと脚部３２４ａを介してカム１５０ａとに分散させることができる。このように、カム１３０ａとカム１５０ａとに力を分散させることによって、オスリテーナ３００の姿勢のバランスをとることができ、脚部３２２ａ又は脚部３２４ａのいずれか一方の側にオスリテーナ３００が傾くことを防止できる。
【００８６】
また、カム１３０ａの高さは、カム１５０ａの高さよりも高く、カム１３０ａの高さとカム１５０ａの高さとを異ならしめたことによって、脚部３２４ａが変移できる空間と脚部３２４ａが変移できる空間とを異ならしめることができる。オスハウジング１００の形状や大きさに応じて、脚部３２４ａ及び３２４ａの変移の空間を確保することができる。また、オスリテーナ３００をオスハウジング１００を取り外すときなどに、脚部３２４ａ及び３２４ａに加えられる引っ張り荷重のバランスをとることができる。
【００８７】
図６（ｆ）は、操作者によって、オスリテーナ３００がさらに押し込まれて、オスリテーナ３００の爪部３３０ａと爪部３４０ａとが、オスハウジング１００の底面１１２に到達した状態を示す断面図である。この状態が、第２係止の状態、すなわち、最終係止の状態である。この最終係止の状態は、オスリテーナ３００が、オスハウジング１００の第２の進入位置まで進入した状態である。第２の進入位置は、上述した第１の進入位置よりも深い位置、すなわち、第１の進入位置よりも、挿入開口１０８から離隔しかつ底面１１２に近づいた位置である。
【００８８】
図６（ｆ）に示す最終係止の状態では、オスリテーナ３００の爪部３３０ａがカム１３０ａと当接していた状態が解除され、オスリテーナ３００の爪部３４０ａがカム１５０ａと当接していた状態が解除される。
【００８９】
オスリテーナ３００が挿入開口１０８に向かって引き出そうとされたときには、爪部３３０ａがカム１３０ａと当接するとともに、爪部３４０ａがカム１５０ａと当接するので、オスリテーナ３００が挿入開口１０８に向かう移動を防止することができる。すなわち、爪部３３０ａの水平部３３６ａ及びカム１３０ａの水平部１３６ａと、爪部３４０ａの水平部３４６ａ及びカム１５０ａの水平部１５６ａとは、ともに、進入方向に対して略垂直に形成されている。このため、爪部３３０ａの水平部３３６ａがカム１３０ａの水平部１３６ａに対して摺動しにくくなるとともに、爪部３４０ａの水平部３４６ａがカム１５０ａの水平部１５６ａに対して摺動しにくくできる。これにより、爪部３３０ａの水平部３３６ａ及びカム１３０ａの水平部１３６ａの当接状態と、爪部３４０ａの水平部３４６ａ及びカム１５０ａの水平部１５６ａの当接状態とを維持することができ、オスリテーナ３００が挿入開口１０８に向かって引き出そうとされても、挿入開口１０８に向かう移動を的確に防止でき、最終係止の状態を維持することができる。
【００９０】
図６（ｆ）に示す最終係止の状態では、オスリテーナ３００が、オスハウジング１００の上段の５つの貫通孔１０２ａ〜１０２ｅの各々と下段の５つの貫通孔１０４ａ〜１０４ｅの各々とに取り付けられた端子部材５００を係止するので、端子部材５００が変位したりオスハウジング１００から脱落したりすることを防止できる。
【００９１】
また、この最終係止の状態では、図６（ｆ）に示すように、オスリテーナ３００の基部３０２の表面とオスハウジング１００の表面とは、略面一の状態になり、オスハウジング１００に段差が生ずることを防止できる。
【００９２】
図６（ａ）から図６（ｆ）に至るまでの間、段差部３５４ａは角部１２２ａによって、段差部３６４ａは角部１２４ａによって、段差部３５４ｂは角部１２２ｂによって、段差部３６４ｂは角部１２４ｂによって、常に案内されるので、挿入開口１０８におけるオスリテーナ３００の姿勢を適切にできる。
【００９３】
＜＜仮係止の状態と最終係止の状態の対比＞＞
仮係止の状態にするときには、爪部３４０ａとカム１４０ａとが係合する箇所が、角部１４５ａに至るまで、オスリテーナ３００を押し込む必要がある。一方、最終係止の状態にするときには、爪部３３０ａとカム１３０ａとが係合する箇所が角部１３５ａに至るとともに、爪部３４０ａとカム１５０ａとが係合する箇所が、角部１５５ａに至るまで、オスリテーナ３００を押し込む必要がある。
【００９４】
上述したように、カム１３０ａの斜面部１３２ａは、底面１１２に対して略３０度の角度をなすように形成されている。一方、カム１４０ａの斜面部１４２ａは、底面１１２に対して略４５度の角度をなすように形成されている。このように、斜面部１３２ａは底面１１２に対して略３０度の角度をなし、斜面部１４２ａは、底面１１２に対して略４５度の角度をなすので、爪部３４０ａの斜面部３４２ａがカム１４０ａの斜面部１４２ａと係合しつつ移動するときに要する力を、爪部３３０ａの斜面部３３２ａが、カム１３０ａの斜面部１３２ａと係合しつつ移動するときに要する力よりも小さくできる。カム１３０ａの斜面部１３２ａの角度と、カム１４０ａの斜面部１４２ａの角度とを調整することによって、仮係止に要する力を最終係止に要する力よりも小さくできる。たとえば、カム１４０ａの斜面部１４２ａの角度をカム１３０ａの斜面部１３２ａの角度よりも小さくすることが好ましい。特に、カム１３０ａの斜面部１３２ａは、底面１１２に対して略３０度〜略４５度の角度をなすように形成し、カム１４０ａの斜面部１４２ａは、底面１１２に対して略４５度〜略７０の角度をなすように形成することが好ましい。
【００９５】
＜＜メスハウジング２００の構成＞＞
＜カム２３０ａ、２４０ａ、２５０ａ及びカム２３０ｂ、２４０ｂ、２５０ｂの構成＞
メスハウジング２００にもオスハウジング１００と同様に、カム２３０ａ、２４０ａ、２５０ａ及びカム２３０ｂ、２４０ｂ、２５０ｂが形成されている。
【００９６】
図２Ａ及び図３Ｂに示すように、リテーナ挿入孔２０６は、互いに向かい会う２つの側壁２１０ａ及び２１０ｂと、底面２１２とを有する。側壁２１０ａには、側壁２１０ａに沿ってカム形成突条２１４ａが形成されている。カム形成突条２１４ａは、底面２１２から挿入開口２０８に向かって形成されている。図７（ａ）に示すように、カム形成突条２１４ａは、底面２１２に対して略垂直にかつ底面２１２から離隔するように形成されている。カム形成突条１１４ａは、底面１１２から連結するように形成されているが、カム形成突条２１４ａは、底面２１２から離隔して側壁２１０ａのみと連結して島状に形成されている。このようにしたことにより、図７（ｃ）に示すような金型を用いることができ、狭小なスペースでの成形の形状を維持することができる。
【００９７】
カム形成突条２１４ａは、底面２１２から離隔して形成されている点を除いて、カム形成突条１１４ａと同様の構造を有し同様に機能する。また、カム形成突条２１４ａは、カム形成突条１１４ａと同様に、カム２３０ａ、２４０ａ、２５０ａが形成されている。これらのカム２３０ａ、２４０ａ、２５０ａも、カム形成突条１１４ａのカム１３０ａ、１４０ａ、１５０ａと同様の構造を有し同様に機能する。
【００９８】
また、カム形成突条２１４ａと同様に、側壁２１０ｂには、底面２１２から挿入開口２０８に向かって、側壁２１０ｂに沿って、カム形成突条２１４ｂが形成されている。カム形成突条２１４ｂも、カム形成突条２１４ａと同様の構造を有し同様に機能する。また、カム形成突条２１４ｂは、カム形成突条２１４ａと同様に、カム２３０ｂ、２４０ｂ、２５０ｂが形成されている。これらのカム２３０ｂ、２４０ｂ、２５０ｂも、カム形成突条２１４ａのカム２３０ａ、２４０ａ、２５０ａと同様の構造を有し同様に機能する。
＜＜メスリテーナ４００の構成＞＞
メスリテーナ４００は、オスリテーナ３００と同様に、メスハウジング２００内に挿入された端子部材５００を係止して、端子部材５００が変位したりメスハウジング２００から抜けたりしないようにするための部材である。メスリテーナ４００は、合成樹脂によって形成されている。合成樹脂は、弾性、耐久性、耐熱性などの各種の特性を満たす材料を用いればよい。
【００９９】
＜基部４０２＞
図２Ｂ及び図４Ｂに示すように、メスリテーナ４００は基部４０２を有する。基部４０２は、５個の貫通孔４０４ａ〜４０４ｅが形成された本体部４０６を有する。本体部４０６の下面には、５個の係止用突部４０８ａ〜４０８ｅ（図示せず）が形成されている。５個の貫通孔の上面にも５個の係止用突部４１０ａ〜４１０ｅ（図示せず）が貫通孔の各々の内側に向かって形成されている。
【０１００】
メスリテーナ４００が、進入方向Ｙ（図４Ｂ及び図７（ｂ））にメスハウジング２００内に挿入されたときには、これらの係止用突部４０８ａ〜４０８ｅ及び４１０ａ〜４１０ｅが端子部材５００の凹部（図示せず）挿入されることで端子部材５００を係止し、端子部材５００が変位したりオスハウジング１００から抜けたりしないようにする。
【０１０１】
＜脚部４２２ａ及び４２４ａ＞
図２Ｂ及び図４Ｂに示すように、基部４０２の２つの側面の各々には、互いに向かい合う２つの側面体４２０ａ及び４２０ｂを有する。側面体４２０ａは、長尺な２つの脚部４２２ａ及び４２４ａを有する。２つの脚部４２２ａ及び４２４ａは、互いに略平行にかつ基部４０２から離隔する方向に形成されている。
【０１０２】
側面体４２０ｂも、側面体４２０ａと同様に、長尺な２つの脚部４２２ｂ及び４２４ｂを有する。２つの脚部４２２ｂ及び４２４ｂは、互いに略平行にかつ基部４０２から離隔する方向に形成されている。なお、以下では、説明の簡略のため、主として、側面体４２０ａや２つの脚部４２２ａ及び４２４ａについて説明するが、側面体４２０ｂや２つの脚部４２２ｂ及び４２４ｂも同様の構成を有し同様に機能する。
【０１０３】
脚部４２２ａの先端には、爪部４３０ａが形成されている。爪部４３０ａは、斜面部４３２ａと垂直部４３４ａと水平部４３６ａとを有する。爪部４３０ａ、斜面部４３２ａ、垂直部４３４ａ、水平部４３６ａは、爪部３３０ａ、斜面部３３２ａ、垂直部３３４ａ、水平部３３６ａと同様の構成で同様に機能する。また、脚部４２４ａの先端には、爪部４４０ａが形成されている。爪部４４０ａは、斜面部４４２ａと垂直部４４４ａと水平部４４６ａとを有する。爪部４４０ａ、斜面部４４２ａ、垂直部４４４ａ、水平部４４６ａは、爪部３４０ａ、斜面部３４２ａ、垂直部３４４ａ、水平部３４６ａと同様の構成で同様に機能する。
【０１０４】
側面体４２０ａ及び側面体４２０ｂは、側面体３２０ａ及び側面体３２０ｂとは異なり、段差部３５４ａや３６４ａなどの段差部は形成されていない。したがって、側面体４２０ａ及び側面体４２０ｂは、図７（ｂ）に示すように、側面体４２０ａ及び側面体４２０ｂの端部が摺動可能に支持されて、進入方向Ｙに進入することができる。
【０１０５】
＜他の実施の形態＞
上述した例では、カム１３０ａの斜面部１３２ａが底面１１２に対して略３０度の角度をなすように、かつ、カム１４０の斜面部１４２ａが底面１１２に対して略４５度の角度をなすように、かつ、カム１５０ａの斜面部１５２ａが底面１１２に対して略４５度の角度をなすように形成されている場合を示した。また、爪部３３０ａの斜面部３３２ａが、基部３０２の表面に対して略３０度の角度をなすように、かつ、爪部３４０ａの斜面部３４２ａが、基部３０２の表面に対して略４５度の角度をなすように形成されている場合を示した。これらの傾斜部の角度は、これに限られず、互いに異なる角度であり、仮係止の状態と最終係止の状態とを実現でき維持できるものであればよい。
【０１０６】
たとえば、底面１１２に対する斜面部１３２ａの角度と、底面１１２に対する斜面部１４２ａの角度とは、互いに異なる角度であり、かつ、３０度〜７０度に含まれていることが好ましい。具体的には、底面１１２に対する斜面部１３２ａの角度が３０度〜４５度の範囲に含まれ、かつ、底面１１２に対する斜面部１４２ａの角度が４５度〜７０度の範囲に含まれることが好ましい。
【０１０７】
＜＜コネクタの概要１＞＞
本発明の実施の形態に係るコネクタは、
端子部材（たとえば、端子部材５００）が取り付けられるハウジング（たとえば、オスハウジング１００又はメスハウジング２００）と前記ハウジングに着脱可能に挿入されて前記端子部材を係止するリテーナ（たとえば、オスリテーナ３００又はメスリテーナ４００）とを有するコネクタであって、
前記ハウジングは、所定の方向に向かって突出する第１の突部（たとえば、カム１３０ａ又は１３０ｂ）と、前記第１の突部とは異なる方向に突出する第２の突部（たとえば、カム１５０ａ又は１５０ｂ）とを有し、
前記リテーナは、互いに向かい合って形成された第１の脚部（たとえば、脚部３２２ａ又は３２２ｂ）及び第２の脚部（たとえば、脚部３２４ａ又は３２４ｂ）を有し、
前記第１の脚部は、前記リテーナの進入の過程で前記第１の突部と係合可能であり、
前記第２の脚部は、前記リテーナの進入の過程で前記第２の突部と係合可能である。
【０１０８】
本発明の実施の形態に係るコネクタは、ハウジングとリテーナとを有する。ハウジングには、端子部材が取り付けられることができる。リテーナは、ハウジングに着脱可能に挿入されて端子部材を係止する。端子部材は、電線が接続され電気的な接点を形成できるものが好ましい。
【０１０９】
ハウジングは、第１の突部及び第２の突部を有する。第１の突部は、所定の方向に向かって突出するように形成されている。第２の突部は、第１の突部とは異なる方向に突出するように形成されている。
【０１１０】
リテーナは、第１の脚部及び第２の脚部を有する。第１の脚部及び第２の脚部は、互いに向かい合って形成されている。したがって、第１の脚部は、第２の脚部に向かう部分が形成され、第２の脚部は、第１の脚部に向かう部分が形成されているのが好ましい。
【０１１１】
さらに、第１の脚部及び第２の脚部は、リテーナが進入する過程で、弾性変形することができるとともに、第１の脚部及び第２の脚部が弾性変形していない状態、すなわち、第１の脚部及び第２の脚部に力が加えられていない状態では、第１の脚部及び第２の脚部が互いに近づく配置になるものが好ましい。
【０１１２】
さらにまた、第１の脚部及び第２の脚部は、リテーナが進入する過程で互いに広がって離隔する方向に弾性変形するものが好ましい。
【０１１３】
リテーナが進入する過程で、第１の脚部が第１の突部と係合できる。同様に、リテーナが進入する過程で、第２の脚部が第２の突部と係合できる。
【０１１４】
このように構成したことにより、リテーナの着脱の際に加えられる力を第１の脚部及び第２の脚部に分散させることができ、複数回の着脱操作に耐えることができるリテーナを有するコネクタを提供できる。
【０１１５】
また、本発明の実施の形態に係るコネクタは、
前記リテーナの進入の過程で前記第１の脚部が前記第１の突部と係合したときに、前記第１の脚部は前記第２の脚部から離隔する方向に変形し、
前記リテーナの進入の過程で前記第２の脚部が前記第２の突部と係合したときに、前記第２の脚部は前記第１の脚部から離隔する方向に変形する。
【０１１６】
リテーナの進入の過程において、第１の脚部は、第１の突部との係合によって第２の脚部から離隔する方向に変形し、第２の脚部は、第２の突部との係合によって第１の脚部から離隔する方向に変形する。したがって、リテーナの進入の過程において、第１の脚部及び第２の脚部を係合に応じて無理なく変形させることができるので、複数回の着脱操作に耐えることができるリテーナを有するコネクタを提供できる。
【０１１７】
さらに、本発明の実施の形態に係るコネクタは、
前記第１の脚部が、前記第１の脚部から突出する第１の爪部（爪部３３０ａ又は３３０ｂ）を有し、
前記第２の脚部が、前記第２の脚部から突出する第２の爪部（爪部３４０ａ又は３４０ｂ）を有し、
前記第１の爪部と第２の爪部とが互いに向かい合う。
【０１１８】
このように構成したことにより、リテーナの着脱の際に、第１の爪部が第１の突部と的確に係合でき、第２の爪部が第２の突部と的確に係合できるので、リテーナの着脱の際に加えられる力を第１の脚部及び第２の脚部により的確に分散させることができ、複数回の着脱操作に耐えることができるリテーナを有するコネクタを提供できる。
【０１１９】
さらにまた、本発明の実施の形態に係るコネクタは、
前記第１の突部及び前記第２の突部は、互いに離れる向きに向かって突出して形成され、
前記第１の爪部が、前記リテーナの進入の過程で前記第１の突部と係合可能であり、
前記第２の爪部が、前記リテーナの進入の過程で前記第２の突部と係合可能である。
【０１２０】
第１の突部及び第２の突部は、互いに離れる向きに向かって突出して形成されている。このようにしたことで、リテーナが進入する際に、第１の爪部を第１の突部と向かい合わせることができるとともに、第２の爪部を第２の突部と向かい合わせることができる。これにより、リテーナの着脱の際に加えられる力を第１の脚部及び第２の脚部により的確に分散させることができ、複数回の着脱操作に耐えることができるリテーナを有するコネクタを提供できる。
【０１２１】
また、本発明の実施の形態に係るコネクタは、
前記ハウジングは、前記リテーナが挿入されるリテーナ挿入孔（たとえば、リテーナ挿入孔１０６、２０６）を有し、
前記リテーナ挿入孔に前記第１の突部及び前記第２の突部が形成されている。
【０１２２】
第１の突部及び第２の突部はリテーナ挿入孔に形成されているので、第１の突部及び第２の突部をリテーナ挿入孔によって支持でき、リテーナの着脱の際に加えられる力を第１の突部及び第２の突部にも分散させることができ、複数回の着脱操作に耐えることができるリテーナを有するコネクタを提供できる。
【０１２３】
さらに、本発明の実施の形態に係るコネクタは、
前記リテーナ挿入孔は、前記リテーナの進入方向に沿って形成された係止用突条（カム形成突条１１４ａ、１１４ｂ）を有し、
前記第１の突部及び前記第２の突部は、前記係止用突条から互いに離れる向きに突出して形成されている。
【０１２４】
リテーナ挿入孔に係止用突条を設けたことによって、リテーナの進入方向に沿った経路になすことができ、リテーナをリテーナ挿入孔内で的確に案内することができる。第１の突部及び第２の突部は、係止用突条に形成されているので、第１の突部及び第２の突部を係止用突条によって支持でき、リテーナの着脱の際に加えられる力を第１の突部及び第２の突部にも分散させることができ、複数回の着脱操作に耐えることができるリテーナを有するコネクタを提供できる。
【０１２５】
さらにまた、本発明の実施の形態に係るコネクタは、
前記第１の脚部は、前記第１の脚部の端部に形成された第１の傾斜部であって、前記リテーナの進入方向に対して第１の角度をなしかつ前記リテーナの進入の過程で前記第１の突部と係合可能な第１の傾斜部（斜面部３３２ａ又は３３２ｂ）を有し、
前記第２の脚部は、前記第２の脚部の端部に形成された第２の傾斜部であって、前記リテーナの進入方向に対して前記第１の角度とは異なる第２の角度をなしかつ前記リテーナの進入の過程で前記第２の突部と係合可能な第２の傾斜部（斜面部３４２ａ又は３４２ｂ）を有する。第１の傾斜部及び第２の傾斜部によって、リテーナをリテーナ挿入孔に挿入する際に、加えられる力を適宜調整することができる。
【０１２６】
第１の傾斜部と第２の傾斜部との角度が相違するので、係止に要する力を異ならしめることができる。第１の傾斜部及び第２の傾斜部の角度によって、リテーナをリテーナ挿入孔に挿入する際に、加えられる力を適宜調整することができる。
【０１２７】
＜＜コネクタの概要２＞＞
本発明の実施の形態に係るコネクタは、
端子部材（たとえば、端子部材５００）が取り付けられるハウジング（たとえば、オスハウジング１００又はメスハウジング２００）と前記ハウジングに着脱可能に挿入されて前記端子部材を係止するリテーナ（たとえば、オスリテーナ３００又はメスリテーナ４００）とを有するコネクタであって、
前記ハウジングは、前記リテーナの進入方向（Ｘ）に沿った経路に形成された第１の突部（たとえば、カム１３０ａ又は１３０ｂ）及び第２の突部（たとえば、カム１５０ａ又は１５０ｂ）を有し、
前記リテーナは、
互いに向かい合って形成されかつ略同じ太さを有する第１の脚部（たとえば、脚部３２２ａ又は３２２ｂ）及び第２の脚部（たとえば、脚部３２４ａ又は３２４ｂ）と、
前記第１の脚部の端部に形成された第１の傾斜部であって、前記進入方向に対して第１の角度をなしかつ進入の過程で前記第１突部と係合可能な第１の傾斜部（斜面部３３２ａ又は３３２ｂ）と、
前記第２の脚部の端部に形成された第２の傾斜部であって、前記進入方向に対して前記第１の角度とは異なる第２の角度をなしかつ進入の過程で前記第２突部と係合可能な第２の傾斜部（斜面部３４２ａ又は３４２ｂ）と、を有する。
【０１２８】
本発明の実施の形態に係るコネクタは、ハウジングとリテーナとを有する。ハウジングには、端子部材が取り付けられることができる。リテーナは、ハウジングに着脱可能に挿入されて端子部材を係止する。端子部材は、電線が接続され電気的な接点を形成できるものが好ましい。
【０１２９】
ハウジングは、第１の突部及び第２の突部を有する。第１の突部と第２の突部とは、進入方向に沿った経路に形成されている。
【０１３０】
前記リテーナは、第１の脚部及び第２の脚部と、第１の傾斜部と、第２の傾斜部と、を有する。
【０１３１】
第１の脚部及び第２の脚部は、互いに向かい合って形成されている。第１の脚部及び第２の脚部は、略同じ太さを有する。第１の脚部の強度と第２の脚部の強度とが、略同じになるようにすればよく、第１の脚部と第２の脚部との断面形状などが互いに異なっていても、双方の脚部の太さが実質的に同じであればよい。
【０１３２】
第１の傾斜部は、第１の脚部の端部に形成されている。この第１の傾斜部は、進入方向に対して第１の角度をなすように形成されている。第１の傾斜部は、進入の過程で第１突部と係合できる。
【０１３３】
第２の傾斜部は、第２の脚部の端部に形成されている。おの第２の傾斜部は、進入方向に対して第２の角度をなすように形成されている。第２の角度は第１の角度とは異なる。第２の角度は、進入の過程で第２突部と係合できる。
【０１３４】
第１の脚部及び第２の脚部は略同じ太さを有するので、着脱の際に加えられる力を分散させることができ、複数回の着脱操作に耐えることができるリテーナを有するコネクタを提供できる。
【０１３５】
また、第１の傾斜部と第２の傾斜部との角度が相違するので、係止に要する力を異ならしめることができる。
【０１３６】
また、本発明の実施の形態に係るコネクタは、
前記ハウジングは、前記進入方向に沿って形成された係止用突条（カム形成突条１１４ａ、１１４ｂ）を有し、
前記第１の突部及び前記第２の突部は、前記係止用突条から互いに離れる向きに突出して形成され、
前記第１の脚部の端部は、前記第１の傾斜部が形成された第１の爪部（爪部３３０ａ又は３３０ｂ）を有し、
前記第２の脚部の端部は、前記第２の傾斜部が形成された第２の爪部（爪部３４０ａ又は３４０ｂ）を有し、
前記第１の爪部及び前記第２の爪部は、互いに向かい合って前記係止用突条を挟むように形成されている。
【０１３７】
第１の突部及び第２の突部は、係止用突条から互いに離隔するように形成されているので、成型用部材を用いた場合には、成型用部材の設計の自由度を高めることができる。
【０１３８】
さらに、本発明の実施の形態に係るコネクタは、
前記ハウジングは、前記進入方向に沿って形成された第１の案内部と、前記進入方向に沿って形成された第２の案内部とを有し、
前記第１の脚部は、前記第１の案内部に対して少なくとも一部が摺動可能に形成された第１の被案内部を有し、
前記第２の脚部は、前記第１の案内部に対して少なくとも一部が摺動可能に形成された第２の被案内部を有し、
前記リテーナは、前記第１の被案内部が前記第１の案内部によって案内され、かつ、前記第２の被案内部が前記第２の案内部によって案内されて、進入方向に移動できる。
【０１３９】
第１の被案内部が第１の案内部によって案内され、かつ、第２の被案内部が第２の案内部によって案内されて、リテーナは前記進入方向に移動できるので、リテーナの姿勢を適切にでき、リテーナをハウジングに円滑に取り付けることができる。
【０１４０】
また、前記係止用突条は、前記進入方向に沿って形成された第１の面（第１の面１１８ａ）及び第２の面（第２の面１２０ａ）とを有し、
前記第１の面には、前記第１の突部が形成され、
前記第２の面には、前記第２の突部が形成され、かつ、前記第２の突部とは異なる位置に第３の突起（カム１４０ａ又は１４０ｂ）が形成されている。
【０１４１】
第２の傾斜部が第３の突部と係止したときに、リテーナを第１の係止状態（仮係止の状態）にでき、第２の傾斜部が第２の突部と係止したときに、リテーナを第２の係止状態（最終係止の状態）にできる。特に、第２の傾斜部が第２の突部と係止したときには、第１の傾斜部が第１の突部と係止することが好ましい。第１の傾斜部と第１の突部との係止と、第２の傾斜部と第２の突部との係止との双方の係止によって、第２の係止状態（最終係止の状態）を安定した状態にすることができる。
【０１４２】
前記第１の爪部は、前記進入方向に対して略垂直な方向に形成された第１の係止面（たとえば、水平部３３６ａ、３３６ｂ）を有し、
前記第２の爪部は、前記進入方向に対して略垂直な方向に形成された第２の係止面（たとえば、水平部３４６ａ、３４６ｂ）を有し、
前記リテーナは、進入の過程において前記第３の突部と前記第２の傾斜部との係合が解除されたときに、前記リテーナは第１の係止状態になり、
前記リテーナは、進入の過程において前記第１の突部と前記第１の傾斜部との係合と、前記第２の突部と前記第２の傾斜部との係合とが解除されたときに、前記リテーナは第２の係止状態になり、
前記リテーナが第１の係止状態であるときに、前記第３の突部によって前記第２の係止面が係止され、
前記リテーナが第２の係止状態であるときに、前記第１の突部によって前記第１の係止面が係止され、かつ、前記第２の突部によって前記第２の係止面が係止される。
【０１４３】
第３の突部によって第２の係止面が係止されるので、第１の係止状態を安定させることができる。第１の突部によって第１の係止面が係止され、かつ、第２の突部によって第２の係止面が係止されるので、第２の係止状態を第１の係止状態よりも安定させることができる。
【符号の説明】
【０１４４】
１００  オスハウジング
１１０ａ、１１０ｂ  側壁（壁面）
１１４ａ、１１４ｂ  カム形成突条（係止用突条）
１１８ａ  第１の面（第１の面）
１２０ａ  第２の面（第２の面）
１３０ａ、１３０ｂ  カム（第１の突部）
１４０ａ、１４０ｂ  カム（第３の突部）
１５０ａ、１５０ｂ  カム（第２の突部）
２００  メスハウジング
３００  オスリテーナ
３２２ａ、３２２ｂ  脚部（第１の脚部）
３２４ａ、３２４ｂ  脚部（第２の脚部）
３３０ａ、３３０ｂ  爪部（第１の爪部）
３３２ａ、３３２ｂ  斜面部（第１の傾斜部）
３４０ａ、３４０ｂ  爪部（第２の爪部）
３４２ａ、３４２ｂ  斜面部（第２の傾斜部）
３３６ａ、３３６ｂ  水平部（第１の係止面）
３４６ａ、３４６ｂ  水平部（第２の係止面）
４００  メスリテーナ
５００  端子部材
Ｘ、Ｙ  進入方向
【図１Ａ】
2012230927.tif 000003
【図１Ｂ】
2012230927.tif 000004
【図２Ａ】
2012230927.tif 000005
【図２Ｂ】
2012230927.tif 000006
【図３Ａ】
2012230927.tif 000007
【図３Ｂ】
2012230927.tif 000008
【図４Ａ】
2012230927.tif 000009
【図４Ｂ】
2012230927.tif 000010
【図５】
2012230927.tif 000011
【図６】
2012230927.tif 000012
【図７】
2012230927.tif 000013